(57)【要約】      （修正有）【課題】入れるべき採血管の種類を間違ってしまった場合、その間違いを確実に検知して選択ミスを防止することができる採血管自動準備装置を提供すること。【解決手段】本発明に係る採血管自動準備装置は、無線タグが各々装着された同一種類の採血管を各々収容する採血管収容部と、前記複数の採血管収容部から患者の採血に必要な採血管を選択的に取り出し、ラベル貼付手段に移送する採血管移送手段と、ラベルに、患者の識別情報と検査情報を書き込む検査情報書込手段と、ラベルを採血管に貼り付けるラベル貼付手段と、採血管の無線タグに記憶された製品種別情報をラベル貼付前に読み取る読取手段と、ラベル貼付後の採血管を患者毎にトレイに収容されるよう排出する採血管排出手段と、採血情報及び検体ＩＤとに基づいて前記各手段を制御する制御手段とを備えることを特徴とする。【選択図】図３
2005121559.tif 000002
【特許請求の範囲】
【請求項１】
採血に用いられる真空採血管であって、
無線タグを備え、該無線タグが、採血管の製品種別に関する情報を記憶している
ことを特徴とする真空採血管。
【請求項２】
前記無線タグが、さらに採血管の有効期限を記憶している
ことを特徴とする請求項１に記載の真空採血管。
【請求項３】
少なくとも製品種別情報を記憶した無線タグが各々装着された同一種類の採血管を各々収容する採血管収容部と、
前記複数の採血管収容部から患者の採血に必要な採血管を選択的に取り出し、ラベル貼付手段に移送する採血管移送手段と、
ラベルに、患者の識別情報と採血に関する情報を含む検査情報を文字、バーコード及び／又は電子情報の形態で書き込む検査情報書込手段と、
前記検査情報書込手段で検査情報が書き込まれたラベルを、採血管に貼り付けるラベル貼付手段と、
採血管の無線タグに記憶された製品種別情報をラベル貼付前に読み取る読取手段と、
ラベル貼付後の採血管を患者毎にトレイに収容されるよう排出する採血管排出手段と
少なくとも、患者属性情報と分析項目に関する情報を含む医師からのオーダ情報と、このオーダ情報に基づいて決められた採血情報及び検体ＩＤとに基づいて前記各手段を制御する制御手段と
を備え、
前記制御手段が、読取手段で読み取った製品種別情報と、前記採血情報とを照合し、その照合結果に基づいて、検査情報書込手段及び／又はラベル貼付手段における処理を続行又は停止させる
ことを特徴とする採血管自動準備装置。
【請求項４】
前記採血管の無線タグに採血管の有効期限が記憶されており、
前記読取手段が、ラベル貼付前に、採血管の無線タグから前記有効期限を読取、
前記制御手段が、読取手段で読み取った有効期限に基づいて、検査情報書込手段及び／又はラベル貼付手段における処理を続行又は停止させる
ことを特徴とする請求項３に記載の採血管自動準備装置。
【発明の詳細な説明】
【技術分野】
【０００１】
本発明は、患者の採血に使用する真空採血管及び患者の検査に必要な採血管を医師からのオーダに基づいて、全自動的に準備する採血管自動準備装置に関する。
【背景技術】
【０００２】
従来から、患者の採血に用いる採血管には真空採血管が使用されている。
この真空採血管は、内部を負圧にしておき採血時に患者の血液を圧力差によって採血管の内部に引き込むように作られている。このように真空採血管は、内部を負圧に保っておく必要があるため採血の前に採血管の栓を抜いて採血管の中に、検査のために必要な反応試薬等を入れることができない。このため、真空採血管は、予め内部に反応試薬等が入れられた状態で販売されている。
上記したように、真空採血管には予め内部に反応試薬等が入れられているため真空採血管毎に利用目的が決められており、その種類は、採血管の栓の色により識別されている。
このため、上記した真空採血管を用いて採血を行う場合には、検査の目的に合った真空採血管を使用する必要がある。真空採血管の選択を誤ると、採血した血液は検査とは関係のない反応試薬と反応してしまうため検査に使用することができず、検査に緊急性を要する場合等には大きな問題となる。
出願人は、上記した真空採血管の選択ミスを防止して検査前に確実な採血を行うことができる採血管自動準備装置を既に提案している（特許文献１参照）。
この採血管自動準備装置は、複数の採血管収容部に各々採血管を収容しておき、医師からのオーダー情報に基づいて、患者の採血に必要な採血管が収容された採血管収容部から採血管を自動的に取り出し、取り出した採血管に患者ＩＤや採血情報を印字したラベルを自動的に貼付け、かつ、ラベル貼付後の採血管を患者毎にトレイや袋等に自動的に収容するように構成されている。
【０００３】
【特許文献１】特許３０７０５２２号
【発明の開示】
【発明が解決しようとする課題】
【０００４】
上記したように、出願人の提案した採血管自動準備装置は医師からのオーダ情報に基づいて患者の採血に必要な採血管が収容された採血管収容部から採血管を自動的に取り出すため、採血管収容部に決められた種類の採血管を入れておけば、真空採血管の選択ミスを確実に防止することができる。
しかし、出願人は、採血による検査が患者にとって非常に重要なものであり、場合によっては命にかかわるものであることを考慮して、採血前の真空採血管の準備の安全性についてさらなる研究を重ね、採血管自動準備装置の採血管収容部に採血管を入れる作業者が、入れるべき採血管の種類を間違ってしまった場合には、真空採血管の選択ミスが生じ得ることを見出した。
本発明は、上記した問題点に鑑みて、仮に採血管自動準備装置の採血管収容部に採血管を入れる作業者が、入れるべき採血管の種類を間違ってしまった場合でも採血管自動準備装置にて、その間違いを確実に検知して選択ミスを防止することができ、かつ、採血管自動準備装置に限らず、その後の採血作業や自動分注装置や自動分析装置においても採血管の種類を自動識別できる真空採血管及び同真空採血管を用いた採血管自動準備装置を提供することを目的としている。
【課題を解決するための手段】
【０００５】
上記した目的を達成するために、本発明に係る真空採血管は、採血に用いられる真空採血管であって、無線タグを備え、該無線タグが、採血管の製品種別に関する情報を記憶していることを特徴とする。
好ましくは、前記無線タグには、さらに採血管の有効期限が記憶され得る。
前記無線タグは、追記可能な形態のものであっても、追記不可能な形態のものであってもよいが、追記可能な形態の無線タグを用いれば、例えば、採血管自動準備装置等で採血管を準備する時に、前記無線タグに患者ＩＤ、検体番号、採血情報、分析情報、患者属性情報及び／又はオーダ番号等を書き込むことができる。
また、本発明に係る採血管自動準備装置は、少なくとも製品種別情報を記憶した無線タグが各々装着された同一種類の採血管を各々収容する採血管収容部と、前記複数の採血管収容部から患者の採血に必要な採血管を選択的に取り出し、ラベル貼付手段に移送する採血管移送手段と、ラベルに、患者の識別情報と採血に関する情報を含む検査情報を文字、バーコード及び／又は電子情報の形態で書き込む検査情報書込手段と、前記検査情報書込手段で検査情報が書き込まれたラベルを、採血管に貼り付けるラベル貼付手段と、採血管の無線タグに記憶された製品種別情報をラベル貼付前に読み取る読取手段と、ラベル貼付後の採血管を患者毎にトレイに収容されるよう排出する採血管排出手段と、患者属性情報と分析項目に関する情報を含む医師からのオーダ情報と、このオーダ情報に基づいて決められた採血情報及び検体ＩＤとに基づいて前記各手段を制御する制御手段とを備え、前記制御手段が、読取手段で読み取った製品種別情報と、前記採血情報とを照合し、その照合結果に基づいて、検査情報書込手段及び／又はラベル貼付手段における処理を続行又は停止させることを特徴とする。
また、前記採血管の無線タグに採血管の有効期限が記憶されていれば、前記読取手段で、ラベル貼付前に、採血管の無線タグから前記有効期限を読み取り、前記制御手段で、読取手段で読み取った有効期限に基づいて、検査情報書込手段及び／又はラベル貼付手段における処理を続行又は停止させることができる。
【発明の効果】
【０００６】
本発明に係る真空採血管によれば、採血管の製品種別に関する情報を記憶した無線タグを備えているので、採血前の準備時、採血時及び採血後の分析時等の採血及び分析の様々な場面で確実に採血管の種類の選択ミスを照合することが可能になり、より確実で安全な検査を達成することが可能になるという効果を奏する。特に、採血管自動準備装置と組み合わせて用いた場合には、採血管収容部に収容すべき採血管を間違えて入れてしまった場合でも、その間違いを確実に検知することが可能になるので、採血前に真空採血管の選択ミスが生じることをより確実に防止することが可能になる。
また、前記無線タグに、さらに採血管の有効期限を記憶させることで、有効期限がきれた真空採血管を誤って使用してしまうことが無くなり、より確実な検査を行うことが可能になる。
また、本発明に係る採血管自動準備装置によれば、ラベル貼付前に採血管の無線タグから採血管の製品種別情報を読み取り、その情報を医師からのオーダ情報に基づいて決められた採血情報と照合し、間違いなければ検査情報書込手段及び／又はラベル貼付手段における処理を続行させ、間違いがあれば検査情報書込手段及び／又はラベル貼付手段における処理を停止させることができるので、採血管収容部に収容すべき採血管を間違えて入れてしまった場合でも、その間違いを確実に検知することができ、採血前の真空採血管の選択ミスをより確実に防止することが可能になる。
【発明を実施するための最良の形態】
【０００７】
以下、添付図面に示した一実施例を参照して本発明に係る真空採血管及び同真空採血管を用いる採血管自動準備装置の実施の形態について説明していく。
【０００８】
図１は本発明に係る真空採血管を示している。
図面に示すように、この真空採血管１には、無線タグ２が貼り付けられており、該無線タグ２には、採血管の製品種別情報及び有効期限が記憶されている。
この無線タグ２は、追記可能なタイプであっても、追記不可能なタイプであってもよい。
また、無線タグ２は、採血管自動準備装置や自動分析装置等での読取時に無関係な採血管の無線タグの情報まで一緒に読み取ってしまわないような読取距離が得られるように構成され得る。
【０００９】
図２は本発明に係る採血管自動準備装置の概略断面図を、図３は図２に示した採血管自動準備装置の部分拡大図を各々示している。
この採血管自動準備装置は、医師からのオーダ情報に含まれているオーダ番号、検査項目及び患者属性に関する情報に加えて、前記検査項目に応じて決められた採血情報及び検体ＩＤに基づいて、制御手段３０により制御される。これらの情報は、全てホストコンピュータ等の上位コンピュータ（図示せず）から入力してもよいが、制御手段３０に医師からのオーダ情報をキーボード等を介して直接入力し、入力されたオーダ情報に基づいて制御手段３０が採血情報及び検体ＩＤを決定するように構成してもよい。
ここで、「患者属性情報」とは、患者氏名、患者ＩＤ及び／又は性別等の患者固有の情報である。
また、「採血情報」とは、検査項目に応じて決められる採血管の種類と数に関する情報である。真空採血管には予め検査の目的に応じた反応薬等が入っているため検査項目に応じた採血管を使用する必要がある。しかし、各検査項目毎に必ず、異なる採血管を使用しなければならないわけではなく、複数の検査項目に共通して使用できる採血管もある。このため、検査項目に応じて、採血管の種類と数を決めなければならない。
「検体ＩＤ」とは、各採血管毎に発番される番号であり、採血管に採血された血液（検体）に対する検査項目に関する情報とオーダー番号とに関連付けされている。
【００１０】
図面に示すように、この採血管自動準備装置は、４つの採血管収容部２０を備えている。
各採血管収容部２０には、各々決められた種類の真空採血管ａが収容されている。この真空採血管１は図１に示した無線タグを有する真空採血管であり、その無線タグ２には採血管の製品種別情報及び有効期限が記憶されている。
４つの採血管収容部２０は、前が下方に下がるように斜めに収容されている。収容された採血管収容部２０の最前部に対応する位置には、押出手段２１が設けられている。この押出手段２１は、採血管収容部２０の底面に形成された開口を介して採血管収容部２０の中に入り込み、その最前部に位置する採血管を採血管収容部２０の上方に押出し、待機ロール２２に供給する。
４つの採血管収容部２０は重ねて配置され、その前方には垂直方向に延びる採血管移送コンベア２３が設けられている。この採血管移送コンベア２３には、採血管受取台２３ａが設けられている。
制御装置３０が、採血情報に基づいて患者の検査に必要な採血管を収容した採血管収容部２０に対応する待機ロール２２を駆動させると、待機ロール２２が回転して採血管が採血管受取台２３ａに受け渡される。
採血管移送コンベア２３は、受取った採血管を、コンベア２３の上方に配置されたラベル貼付手段２４まで移送する。
ラベル貼付手段２４は、待機ロール２４ａ、ラベル付き台紙供給ローラ２４ｂ、台紙回収ローラ２４ｃ、貼付ローラ２４ｄ、加圧台２４ｅ、補助ローラ２４ｆ及び剥離板２４ｇを備えている（図３参照）。
図中、符号２５は検査情報書込手段を示しており、この検査情報書込手段は、制御装置３０からの情報に基づいて、ラベルを貼り付けるべき採血管に対応する患者の患者属性情報及び検体ＩＤを文字、バーコード及び／又は電子情報の形態でラベルに書き込む。
書き込む情報の種類は、予め任意に設定可能である。具体的には、例えば、検体ＩＤ、検査項目、患者属性及びオーダ番号等を無線タグに書き込めば、採血後に自動分析装置にて、これらの情報を利用することが可能になる。また、予め医師からのオーダ情報に基づいて、必要に応じて分注管の種類や数及び分注量等を決めておき、これらの情報を無線タグに書き込んでおけば、分析前に自動分注装置にて、これらの情報を利用することが可能になる。
また、この検査情報書込手段は、ラベルに応じて適宜選択され得る。具体的には、例えば、ラベルが書込み可能な無線タグを有する場合には、文字やバーコードに加えて無線タグに電子情報を書き込むことができるプリンタが選択され得、ラベルが無線タグを持たない通常のラベルの場合には、単に文字やバーコードを書込み可能なプリンタが選択され得る。
前記ラベル貼付手段２４における待機ロール２４ａが回転すると、待機ロール２４ａから加圧台２４ｅ上に採血管１が落とされ、次いで、加圧台２４ｅが採血管１を上方に押し上げ、採血管１は、加圧台２４ｅ、貼付ローラ２４ｄ及び補助ローラ２４ｆで三点支持される（図３（ａ）参照）。
この状態で、貼付ローラ２４ｄが回転し、それにより、採血管１が回転して前記検査情報書込手段２５によって検査情報が書き込まれたラベルが採血管１の表面に貼り付けられる。
ラベルの貼付が完了すると、加圧台２４ｅが下方に下がり、採血管１は加圧台２４ｅの下方にある排出コンベア２６上に落ちる（図７（ｂ）参照）。
排出コンベア２６上に落とされた採血管１は、採血管自動準備装置の外部に排出され、そこで、患者毎にトレイや袋等に入れられる。
上記したように構成された採血管自動準備装置は、読取手段２７を備えている。この読取手段２７は、ラベル貼付手段２４の待機ロール２４ａの上方に配置されており、待機ロール２４ａ上にある採血管１の無線タグから、その採血管の製品種別情報と有効期限情報とを読み取る。
読取手段２７で読み取られた製品種別情報と有効期限情報は、制御装置３０に送られる。制御装置３０では、前記製品種別情報と採血情報とを照合して、待機ロール２４ａ上にある採血管が、患者の検査に必要な種類の採血管か否かを確認し、採血管の種類が間違っていれば、検査情報書込手段及びラベル貼付手段を含む装置全体を停止させて、不図示の警告ランプやブザー等により採血管の種類が間違っている旨を使用者に警告する。
制御装置３０による照合は、好ましくは、検査情報書込手段でラベルに検査情報を書き込む前に行われるように設定され得るが、ラベル貼付手段でラベルを貼り付ける直前に行ってもよい。
【図面の簡単な説明】
【００１１】
【図１】本発明に係る真空採血管を示す図である。
【図２】本発明に係る採血管自動準備装置の概略断面図である。
【図３】（ａ）及び（ｂ）は、図２に示した採血管自動準備装置の部分拡大図の異なる状態を各々示している。
【符号の説明】
【００１２】
１  真空採血管
２  無線タグ
２０  採血管収容部
２１  押出手段
２２  待機ロール
２３  採血管移送コンベア
２３ａ  採血管受取台
２４  ラベル貼付手段
２４ａ  待機ロール
２４ｂ  ラベル付き台紙供給ローラ
２４ｃ  台紙回収ローラ
２４ｄ  貼付ローラ
２４ｅ  加圧台
２４ｆ  補助ローラ
２４ｇ  剥離板
２５  検査情報書込手段
２６  排出コンベア
２７  読取手段
３０  制御手段
【図１】
2005121559.tif 000003
【図２】
2005121559.tif 000004
【図３】
2005121559.tif 000005